(57)【特許請求の範囲】
【請求項１】
現用系と予備系とで圧縮符号化され伝送ブロックに割り当てられたデジタル放送信号を現用・予備切替信号に応じて選択的に導出するデジタル放送番組送出システムの現用・予備切替装置において、
前記現用系と予備系の各デジタル放送信号をそれぞれ所定ブロック数分保存する現用系バッファ及び予備系バッファと、
前記現用系バッファ及び予備系バッファに保存された前記現用系と予備系の各デジタル放送信号のいずれか一方を選択的に導出すると同時に、この導出されたデジタル放送信号のうち切替対象データの切替制御に係る処理を加える切替スイッチと、
前記現用系から予備系にまたは予備系から現用系に切り替えるため少なくとも１つの切替手法を示す情報から構成される切替方式を、複数記憶する切替方式情報記憶手段と、
前記切替スイッチの切替を制御する切替制御手段とを具備し、
前記切替制御手段は、
前記現用・予備切替信号が入力されたとき、所定の条件に応じて前記記憶手段に記憶された複数の切替方式の中から１つの切替方式を選択する切替方式選択機能と、
前記現用系バッファ及び予備系バッファ内で前記選択された切替方式が示す切替手法の切替位置の条件に適合したブロックを判別し、この判別結果に基づいて、前記切替スイッチを現用系から予備系にまたは予備系から現用系に切り替えるための制御を行なう制御機能とを有することを特徴とするデジタル放送番組送出システムの現用・予備切替装置。
【請求項２】
現用系と予備系とで圧縮符号化され伝送ブロックに割り当てられたデジタル放送信号を現用・予備切替信号に応じて選択的に導出するデジタル放送番組送出システムの現用・予備切替装置において、
前記現用系と予備系の各デジタル放送信号をそれぞれ所定ブロック数分保存する現用系バッファ及び予備系バッファと、
前記現用系バッファ及び予備系バッファに保存された前記現用系と予備系の各デジタル放送信号のいずれか一方を選択的に導出すると同時に、この導出されたデジタル放送信号のうち切替対象データの切替制御に係る処理を加える切替スイッチと、
前記現用系から予備系にまたは予備系から現用系に切り替えるため少なくとも１つの切替手法を示す情報から構成される切替方式を、複数記憶する切替方式情報記憶手段と、
所定時間を計時するタイマと、
前記切替スイッチの切替を制御する切替制御手段とを具備し、
前記切替制御手段は、
前記切替方式情報記憶手段に記憶された複数の切替方式の中から、１つの切替方式を選択する切替方式選択機能と、
この選択された切替方式に含まれる１または複数の切替手法の中から１つの切替手法を選択する切替手法選択機能と、
切替手法の適用時間を計時するために前記タイマを起動するタイマ起動機能と、
前記現用・予備切替信号が入力された時点で、所定の条件に応じて前記切替方式選択機能により切替方式を選択し、この選択された切替方式から前記切替手法選択機能により切替順位の最も早い切替手法を選択し、前記タイマ起動機能でタイマを起動し、前記タイマが選択された切替手法の適用時間計時内に、前記現用系バッファ及び予備系バッファ内で前記選択された切替手法の切替位置の条件に適合したブロックの有無を判別し、有りと判別した場合に、前記切替スイッチを現用系から予備系にまたは予備系から現用系に切り替えるための制御を行ない、無しと判別した場合に、前記切替手法選択機能により次に切替順位の早い切替手法を選択し、切替制御を実行する制御機能とを有することを特徴とするデジタル放送番組送出システムの現用・予備切替装置。
【請求項３】
前記現用系及び前記予備系の各デジタル放送信号が互いに同期して圧縮符号化されており、切替位置がブロック上に示されている場合に、
前記切替方式情報記憶手段は、少なくとも切替位置の示されたブロック境界で切り替える手法、デコード時刻情報が連続するように圧縮符号化される単位の境界で切り替える手法、デコード時刻情報が連続するように疑似ブロックを挿入して圧縮符号化される単位の境界で切り替える手法、デコード時刻情報の連続性に関係なく圧縮符号化される単位の境界で切り替える手法、ブロック境界で切り替える手法から構成される切替方式を記憶することを特徴とする請求項１または２記載のデジタル放送番組送出システムの現用・予備切替装置。
【請求項４】
前記現用系及び前記予備系の各デジタル放送信号が同一信号を２分配したものであり、かつ前記デジタル放送信号の各ブロックが前後のブロックとは異なる数値情報を付加している場合に、
前記切替方式情報記憶手段は、少なくとも前記数値情報を使用して切り替える手法、デコード時刻情報が連続するように圧縮符号化される単位の境界で切り替える手法、デコード時刻情報が連続するように疑似ブロックを挿入して圧縮符号化される単位の境界で切り替える手法、デコード時刻情報の連続性に関係なく圧縮符号化される単位の境界で切り替える手法、ブロック境界で切り替える手法から構成される切替方式を記憶することを特徴とする請求項１または２記載のデジタル放送番組送出システムの現用・予備切替装置。
【請求項５】
前記現用系及び前記予備系の各デジタル放送信号が互いに独立して圧縮符号化されている場合に、
前記切替方式情報記憶手段は、少なくともデコード時刻情報の連続性に関係なく圧縮符号化される単位の境界で切り替える手法、ブロック境界で切り替える手法から構成される切替方式を記憶することを特徴とする請求項１または２記載のデジタル放送番組送出システムの現用・予備切替装置。
【発明の詳細な説明】
【０００１】
【発明の属する技術分野】
この発明は、現用・予備の二重化構造を有するデジタル放送番組送出システムに係り、特に現用・予備の切替制御技術に関する。
【０００２】
【従来の技術】
従来より、放送送出設備にあっては、機器の故障対策及び保守のために、現用・予備の二重化構成とすることが一般的となっている。
【０００３】
ここで、従来のアナログ放送番組送出システムでは、信号が圧縮されていないため、現用・予備の切替時にショックが目立たないようにするのに、フレーム同期を行なった上で、フレーム位置で切り替えるものとし、接点の切替時に発生するノイズ対策等を講じるだけで十分であった。
【０００４】
しかしながら、デジタル放送番組送出システムでは、ベースバンド系の先において放送データに圧縮を施してストリームを形成しており、圧縮されたストリームにおいては切れ目が分かり難い。このため、デジタル放送番組送出システムでは、現用・予備の切り替えにおいて、アナログ放送のように単純にフレーム同期を行なってフレーム位置で切り替えることができない。
【０００５】
また、デジタル放送番組送出システムでは、現用・予備の切り替えにおいて、ストリームの種類や内容も考慮しなければならず、このため判別処理等の複雑な処理が要求されることとなり、切替装置としては高い性能が要求されることとなる。
【０００６】
【発明が解決しようとする課題】
以上述べたようにデジタル放送番組送出システムにあっては、アナログ放送の技術をそのまま適用することはできず、現用・予備の切り替えをスムーズに行ない、かつ高い性能が要求される切替装置が必要となっている。
【０００７】
この発明の目的は、取り扱うデジタル放送信号の種類や内容を考慮して切替方式を選択することにより、現用・予備の切り替えを送出信号に乱れを極力生じさせることなく確実に行なうことのできるデジタル放送番組送出システムの現用・予備切替装置を提供することにある。
【０００８】
【課題を解決するための手段】
この発明は、現用系と予備系とで圧縮符号化され伝送ブロックに割り当てられたデジタル放送信号を現用・予備切替信号に応じて選択的に導出するデジタル放送番組送出システムの現用・予備切替装置において、現用系と予備系の各デジタル放送信号をそれぞれ所定ブロック数分保存する現用系バッファ及び予備系バッファと、現用系バッファ及び予備系バッファに保存された現用系と予備系の各デジタル放送信号のいずれか一方を選択的に導出すると同時に、この導出されたデジタル放送信号の各ブロックに処理を加える切替スイッチと、現用系から予備系にまたは予備系から現用系に切り替えるため少なくとも１つの切替手法を示す情報から構成される切替方式を、複数記憶する切替方式情報記憶手段と、切替スイッチの切替を制御する切替制御手段とを備えるようにしたものである。
【０００９】
そして、切替制御手段は、現用・予備切替信号が入力されたとき、所定の条件に応じて記憶手段に記憶された複数の切替方式の中から１つの切替方式を選択する切替方式選択機能と、現用系バッファ及び予備系バッファ内で選択された切替方式が示す切替手法の切替位置の条件に適合したブロックを判別後、切替スイッチを現用系から予備系にまたは予備系から現用系に切り替えるための制御を行なう制御機能とを有するようにしたものである。
【００１０】
この発明によれば、互いに方式が異なり、現用系から予備系に切り替えるための複数の切替方式を示す情報を記憶する切替方式情報記憶手段を備えることにより、例えば使用場所、システム変更や取り扱うデジタル放送信号等に応じて最適な切替方式を選択設定して現用・予備の切り替えを送出信号に極力乱れを生じさせることなく行なうことができる。
【００１１】
また、この発明は、現用系と予備系とで圧縮符号化され伝送ブロックに割り当てられたデジタル放送信号を現用・予備切替信号に応じて選択的に導出するデジタル放送番組送出システムの現用・予備切替装置において、現用系と予備系の各デジタル放送信号をそれぞれ所定ブロック数分保存する現用系バッファ及び予備系バッファと、現用系バッファ及び予備系バッファに保存された現用系と予備系の各デジタル放送信号のいずれか一方を選択的に導出すると同時に、この導出されたデジタル放送信号の各ブロックに処理を加える切替スイッチと、現用系から予備系にまたは予備系から現用系に切り替えるため少なくとも１つの切替手法を示す情報から構成される切替方式を、複数記憶する切替方式情報記憶手段と、所定時間を計時するタイマと、切替スイッチの切替を制御する切替制御手段とを備えるようにしたものである。
【００１２】
そして、切替制御手段は、切替方式情報記憶手段に記憶された複数の切替方式の中から、１つの切替方式を選択する切替方式選択機能と、この選択された切替方式に含まれる１または複数の切替手法の中から１つの切替手法を選択する切替手法選択機能と、切替手法の適用時間を計時するためにタイマを起動するタイマ起動機能と、現用・予備切替信号が入力された時点で、所定の条件に応じて切替方式選択機能により切替方式を選択し、この選択された切替方式から切替手法選択機能により切替順位の最も早い切替手法を選択し、タイマ起動機能でタイマを起動し、タイマが選択された切替手法の適用時間計時内に、現用系バッファ及び予備系バッファ内で選択された切替手法の切替位置の条件に適合したブロックの有無を判別し、有りと判別した場合に、切替スイッチを現用系から予備系にまたは予備系から現用系に切り替えるための制御を行ない、無しと判別した場合に、切替手法選択機能により次に切替順位の早い切替手法を選択し、切替制御を実行する制御機能とを有することを特徴とする。
【００１３】
この発明によれば、現用系から予備系にまたは予備系から現用系に切り替えるため少なくとも１つの切替手法を示す情報から構成される切替方式を、複数記憶する切替方式情報記憶手段を備えておき、現用・予備切替信号が入力された時点で、所定の条件に応じて切替方式情報記憶手段に記憶された複数の切替方式の中から１つの切替方式が選択され、さらにこの切替方式から切替順位の最も早い切替手法を選択され、タイマが起動され、このタイマが選択された切替手法の適用時間計時内に、現用系バッファ及び予備系バッファ内で選択された切替手法の切替位置の条件に適合したブロックの有無が判別され、有りと判別された場合に、切替スイッチを現用系から予備系にまたは予備系から現用系に切り替えるための制御が行なわれ、無しと判別された場合に、次に切替順位の早い切替手法を選択され、切替制御を実行されることになる。すなわち、現用系バッファ及び予備系バッファ内で切替手法の条件に適合したブロックが無しと判別された場合は、タイマが所定時間を計時した時点で、次の切替手法が自動的に選択されることで、切替制御の確実性が保証されることになる。
【００１４】
このため、例えば、使用場所、システム変更や取り扱うデジタル放送信号等に応じて最適な切替方式を選択設定して現用・予備の切り替えを送出信号に極力乱れを生じさせることなく行なえるだけでなく、確実に行なうことができるようになる。
【００１５】
【発明の実施の形態】
以下、この発明の実施形態について図面を参照して詳細に説明する。
【００１６】
（第１の実施形態）
図１は、この発明に係わるデジタル放送番組送出システムの第１の実施形態を示すブロック図である。図１において、１１は現用系送出装置、１２は予備系送出装置である。
【００１７】
現用送出装置１１は、番組素材データを選択的に出力するスイッチャー（ＳＷ）１１１と、このスイッチャー１１１を番組編成データに基づいて切替制御する自動番組送出制御装置（ＡＰＣ）１１２と、この自動番組送出制御装置１１２の切替制御に基づいてスイッチャー１１１から出力される番組素材データをＭＰＥＧ２符号化方式に基づいて可変長圧縮符号化し、ＭＰＥＧ２トランスポートストリームパケットに変換するエンコーダ（ＥＮＣ）１１３と、このエンコーダ１１３の出力パケットと各種制御データとをパケット多重するマルチプレクサ（ＭＵＸ）１１４と、上記自動番組送出制御装置１１２からの制御情報に基づいてエンコーダ１１３及びマルチプレクサ１１４を制御する符号化多重制御装置（ＥＭＣ）１１５を備える。
【００１８】
予備系送出装置１２は、現用系と全く同構成であり、スイッチャー（ＳＷ）１２１、自動番組送出制御装置（ＡＰＣ）１２２、エンコーダ（ＥＮＣ）１２３、マルチプレクサ（ＭＵＸ）１２４、符号化多重制御装置（ＥＭＣ）１２５を備える。
【００１９】
上記現用系送出装置１１及び予備系送出装置１２はエンコーダ１１３、１２３間で同期運転を行なっており、それぞれの送出装置１１、１２から出力されるＭＰＥＧ２トランスポートストリームパケットは現用・予備切替装置１３に供給される。
【００２０】
この現用・予備切替装置１３は、バッファ１３１、１３２と、切替スイッチ（ＳＷ）１３３と、切替方式記憶部１３４と、タイマ１３５と、切替制御部１３６とを備える。
【００２１】
バッファ１３１、１３２は、現用系送出装置１１及び予備系送出装置１２からのパケット列を所定個数いったん保持する。
【００２２】
切替スイッチ１３３は、出力バッファ選択機能１３３１と、パケット加工機能１３３２とを備え、各バッファ１３１、１３２内のパケットを加工しながら選択的に導出して送出信号を生成する。
【００２３】
切替方式記憶部１３４は、図２に示すような切替順位に対応付けられた複数の切替手法からなる切替方式を１または複数記憶している。なお、図２の例では、１つの切替方式を記憶している。
【００２４】
タイマ１３５は、所定時間を計時する。
【００２５】
切替制御部１３６は、切替方式選択機能１３６１と、切替手法選択機能１３６２と、タイマ起動機能１３６３と、スイッチ切替制御機能１３６４とを備えている。このうち、切替方式選択機能１３６１は、切替方式記憶部１３４に記憶された１または複数の切替方式の中から１つの切替方式を選択する。
【００２６】
切替手法選択機能１３６２は、上記切替方式選択機能１３６１で選択された切替方式に含まれる１または複数の切替手法の中から１つの切替手法を選択する。
【００２７】
タイマ起動機能１３６３は、切替手法の適用時間を計時するためにタイマ１３５を起動する。
【００２８】
スイッチ切替制御機能１３６４は、現用・予備切替信号が入力された時点で、同期したエンコーダ１１３、１２３からのＭＰＥＧ２トランスポートストリームパケットであるという条件の基に切替方式選択機能１３６１により切替方式記憶部１３４に記憶された切替方式を選択する。そして、選択された切替方式から切替手法選択機能１３６２により切替順位の最も早い切替手法を選択し、タイマ起動機能１３６３でタイマ１３５を起動し、タイマ１３５が選択された切替手法の適用時間計時内に、各バッファ１３１、１３２内で選択された切替手法の切替位置の条件に適合したパケットの有無を判別する。ここで、有りと判別した場合に、切替スイッチ１３３を現用系から予備系にまたは予備系から現用系に切り替えるための制御を行ない、無しと判別した場合に、切替手法選択機能１３６２により次に切替順位の早い切替手法を選択し、切替制御を実行する。
【００２９】
上記構成において、以下にその処理動作を説明する。
【００３０】
現用・予備切替装置１３では、上記の現用系送出装置１１からのＭＰＥＧ２トランスストリームパケットをバッファ１３１に入力し、上記予備系送出装置１２からのＭＰＥＧ２トランスストリームパケットをバッファ１３２に入力し、それぞれ所定個数のパケットを順次保持する。
【００３１】
この状態で、現用・予備切替信号が入力されると、切替制御部１３６のスイッチ切替制御機能１３６４が同期したエンコーダ１１３、１２３からのＭＰＥＧ２トランスストリームパケットであるという条件の基に切替方式記憶部１３４から切替方式を１つ選択し、その切替方式を構成する複数の切替手法を基に、図３に示すような制御処理を開始する。
【００３２】
この制御処理を開始すると、スイッチ切替制御機能１３６４は切替順位の初期設定（ｉ＝１）を行ない（ステップＳＴ１）、その切替順位１に対応する切替手法に基づいてバッファ１３１、１３２に保存されたパケットから切替位置の条件に適合したパケットを見つけ出すとともに（ステップＳＴ２）、タイマ１３５を起動させる（ステップＳＴ３）。
【００３３】
タイマ１３５の起動中に、スイッチ切替制御機能１３６４は、各バッファ１３１、１３２に保持されたパケットの内容を比較し、音声、映像、データそれぞれの切替位置の条件に適合したパケットがあるか否かの判断を行なう（ステップＳＴ４）。ここで、適合したパケットがあったならばスイッチ切替制御機能１３６４は、切替スイッチ１３３に対して、その切替位置においての切替対象データの切替制御を行なう（ステップＳＴ５）。切替スイッチ１３３はスイッチ切替制御機能１３６４からのタイミング信号を受けて、出力バッファ選択機能１３３１及びパケット加工機能１３３２を用いて、その切替位置で切替手法の示す方法で切替対象データの切替を実行する。
【００３４】
一方、切替位置の条件に適合したパケットが見つからない場合、スイッチ切替制御機能１３６４はタイマ１３５が計時中であれば上記ステップＳＴ４及びステップＳＴ６の処理を繰り返し実行する。そして、スイッチ切替制御機能１３６４は、所定の経過時間を計時した時点で、次の切替順位２に対応する切替手法に基づいて切替制御を実行し（ステップＳＴ７）、以後切替処理が実行されるまで上記ステップＳＴ４及びステップＳＴ６の処理を繰り返し実行する。なお、切替手法は以下の通りである。
【００３５】
（１）エンコーダが切替点をつけている場合は、その切替点のついたパケット境界で切り替える。
（２）デコード時刻情報が連続するように圧縮符号化される単位の境界で切り替える。
（３）デコード時刻情報が連続するように疑似ブロック（映像では無音、フリーズ、音声では無音など）を挿入して圧縮符号化される単位の境界で切り替える。
（４）デコード時刻情報の連続性に関係なく圧縮符号化される単位の境界で切り替える。
（５）トランスポートストリームパケット境界で確実に切り替える。
【００３６】
以上述べたようにこの第１の実施形態では、現用系から予備系にまたは予備系から現用系に切り替えるための複数の切替手法からなる切替方式を記憶する切替方式記憶部１３４を設けておくようにし、そして、現用・予備切替信号が入力されると、切替制御部１３６のスイッチ切替制御機能１３６４は、同期したエンコーダ１１３、１２３からのＭＰＥＧ２トランスポートストリームパケットであるという条件の基に切替方式記憶部１３４から１つの切替方式を選択し、その切替方式に示される複数の切替手法の中から切替順位の最も早い切替手法を選択すると同時に、タイマ１３５を起動し、この起動時から所定時間内に、バッファ１３１、１３２から切替手法の切替位置の条件に適合したパケットが見つからない場合は、次に切替順位の切替手法を選択して切替制御を実行する。
【００３７】
従って、バッファ１３１、１３２から切替手法の切替位置に適合したパケットが見つからない場合は、次の切替順位の切替手法を選択して切替制御を実行するので、例えば、使用場所、システム変更や取り扱うデジタル放送信号等に応じて最適な切替方式を選択設定して現用・予備の切り替えを送出信号に極力乱れを生じさせることなく行なえるだけでなく、確実に行なうことができるようになる。
【００３８】
（第２の実施形態）
図４は、この発明に係わるデジタル放送番組送出システムの第２の実施形態を示すブロック図である。なお、図４において、上記図１と同一部分には同一符号を付して詳細な説明を省略する。
【００３９】
すなわち、この第２の実施形態では、現用系のエンコーダ１１３の出力と予備系のエンコーダ１２３の出力とを切替器２１に入力し、それぞれの入力を現用系のマルチプレクサ１１４と予備系のマルチプレクサ１２４に選択的に導出可能とする。
【００４０】
また、現用・予備切替装置１３の切替方式記憶部１３４は、図５に示すような切替順位に対応づけられた複数の切替手法からなる切替方式を記憶している。
【００４１】
また、処理動作は、第１の実施形態に示された処理動作と切替方式を選択する条件と切替手法を除いて同じであるため以下に切替方式選択条件と切替手法とを記述する。
【００４２】
切替方式選択条件は、エンコーダ１１３、１２３のどちらか一方を２分配したデジタル放送信号であるということであり、切替手法を以下に示す。
【００４３】
（１）コンティニュイティーカウンタの等しいパケット境界で切り替える。
（２）デコード時刻情報が連続するように圧縮符号化される単位の境界で切り替える。
（３）デコード時刻情報が連続するように疑似ブロック（映像では無音、フリーズ、音声では無音など）を挿入して圧縮符号化される単位の境界で切り替える。
（４）デコード時刻情報の連続性に関係なく圧縮符号化される単位の境界で切り替える。
（５）トランスポートストリームパケット境界で確実に切り替える。
【００４４】
このような第２の実施形態であれば、上記第１の実施形態と同様な効果が得られるが、特に複数事業者のエンコーダ出力がマルチプレクサ１２４に入力される場合に、ある事業者のエンコーダ１１３、１２３が正常である場合は、現用・予備切替装置１３の切替がエンコーダの出力ストリームに影響を及ぼさず、また、ある事業者のエンコーダ１１３、１２３のどちらに障害が発生したことによる切替器２１の切替が他の事業者のストリームに影響を及ぼさない効果をもつ。
【００４５】
（第３の実施形態）
図６は、この発明に係わるデジタル放送番組送出システムの第３の実施形態を示すブロック図である。なお、図６において、上記図１と同一部分には同一符号を付して詳細な説明を省略する。
【００４６】
すなわち、この第３の実施形態における現用系送出装置１１及び予備系送出装置１２は完全に独立して動作し、現用系送出装置１１及び予備系送出装置１２から出力されるＭＰＥＧ２トランスストリームパケットは現用・予備切替装置１３に供給される。
【００４７】
また、現用・予備切替装置１３の切替方式記憶部１３４は、図７に示すような切替順位に対応づけられた複数の切替手法からなる切替方式を記憶している。
【００４８】
また、処理動作は、第１の実施形態に示された処理動作と切替方式を選択する条件と切替手法を除いて同じであるため以下に切替方式選択条件と切替手法とを記述する。
【００４９】
切替方式選択条件は、エンコーダ１１３とエンコーダ１２３とが独立して動作しているということであり、これは切り替えにおける配慮があまり必要ないということである。切替手法を以下に示す。
【００５０】
（１）トランスポートストリームパケット境界で確実に切り替える。
【００５１】
このような第３の実施形態であれば、上記第１の実施形態と同様な効果が得られるが、特に切替に配慮しなくてよいストリームの場合であり、細かな切替制御を必要とせず、処理の負担を軽減できる。
【００５２】
（その他の実施形態）
この発明は、上記各実施形態に限定されるものではない。すなわち、上記各実施形態では、切替方式を示す情報の切替条件として、時間を用いる例について説明したが、時間以外にも使用場所、システムの変更や取り扱うデジタル放送信号等を用いることも可能である。
【００５３】
また、ＭＰＥＧ２のトランスポートストリーム以外にも、現用系と予備系とで圧縮符号化され、伝送ブロックに割り当てられたデジタル放送信号を取り扱うことも可能である。
【００５４】
その他、システムの構成、現用・予備切替装置の構成、切替方式記憶部の記憶内容等についても、この発明の要旨を逸脱しない範囲で種々変形して実施できる。
【００５５】
【発明の効果】
以上詳述したようにこの発明によれば、取り扱うデジタル放送信号の種類や内容を考慮して切替方式を選択することにより、現用・予備の切り替えを送出信号に乱れを極力生じさせることなく行なうことができ、しかも切替方式に複数の切替手法を持たせその適用時間を制限することで切り替えに関する確実性を保証できるデジタル放送番組送出システムの現用・予備切替装置を提供することができる。
【図面の簡単な説明】
【図１】この発明に係わるデジタル放送番組送出システムの第１の実施形態を示すブロック図。
【図２】図１に示した切替方式記憶部の記憶内容の一例を示す図。
【図３】図１に示した切替制御部の制御処理手順を説明するために示すフローチャート。
【図４】この発明に係わるデジタル放送番組送出システムの第２の実施形態を示すブロック図。
【図５】図４に示した切替方式記憶部の記憶内容の一例を示す図。
【図６】この発明に係わるデジタル放送番組送出システムの第３の実施形態を示すブロック図。
【図７】図６に示した切替方式記憶部の記憶内容の一例を示す図。
【符号の説明】
１１…現用送出装置、
１２…予備送出装置、
１１１、１２１…スイッチャー（ＳＷ）、
１１２、１２２…自動番組送出制御装置（ＡＰＣ）、
１１３、１２３…エンコーダ（ＥＮＣ）、
１１４、１２４…マルチプレクサ（ＭＵＸ）、
１１５、１２５…符号化多重制御装置（ＥＭＣ）、
１３…現用・予備切替装置、
１３１、１３２…バッファ、
１３３…切替スイッチ（ＳＷ）、
１３４…切替方式記憶部、
１３５…タイマ、
１３６…切替制御部、
１３３１…出力バッファ選択機能、
１３３２…パケット加工機能、
１３６１…切替方式選択機能、
１３６２…切替手法選択機能、
１３６３…タイマ起動機能、
１３６４…スイッチ切替制御機能。
【図１】
0004467827.tif 000002
【図２】
0004467827.tif 000003
【図３】
0004467827.tif 000004
【図４】
0004467827.tif 000005
【図５】
0004467827.tif 000006
【図６】
0004467827.tif 000007
【図７】
0004467827.tif 000008